【事件の表示】
　平成２年特許願第１１９５９７号「ピアノハンドル式スイッチ」拒絶査定に対する審判事件（平成４年１月２２日出願公開、特開平４−１７２２９）について、次のとおり審決する。
【結論】
　本件審判の請求は、成り立たない。
【理由】
１．本願は、平成２年５月９日の出願であって、その発明は、平成１１年４月８日付け手続補正書により補正された明細書及び図面の記載からみて、特許請求の範囲の請求項１乃至請求項６に記載されたとおりのものと認められるところ、その請求項１に記載された発明は以下のとおりである。
「長手方向に３個の器具取付手段を備えた細長の器具取付用の窓孔を有する取付枠と、短方向の外形寸法が上記窓孔の長手方向の略１／３に形成され、取付枠の中央部の上記器具取付手段に取付けられる押釦スイッチの器体と、窓孔に対向し長手方向の寸法が上記窓孔より細長の開口を有する化粧枠と、この化粧枠の開口の略全部を閉塞する大きさに形成され、中央を上記器体の中央に対向させて上記化粧枠の開口内に配置される１個のピアノハンドルとを備え、上記器体は両端部に速結端子を収納した収納部を、中央部に接点部と接点部を開閉する開閉体とで構成された開閉機構を収納した収納部を備えたボディと、このボディの開口部に被着したカバーとで構成し、押釦スイッチが接点部と、器体内に回動自在に支持されて接点部を開閉する開閉体と、上記器体の表面より頭部が露出し該露出面に対して直交する方向に移動自在に器体内に装着される押釦ハンドルと、上記押釦ハンドルの押動に連動して開閉体を反転させる反転手段と、押釦ハンドルを前方露出方向に付勢する復帰手段とを備えており、ピアノハンドルは回動自在に一端部が押釦スイッチの外部で枢支されて裏面を押釦ハンドルの頭部に当接させてあることを特徴とするピアノハンドル式スイッチ装置。」（以下、「本願発明」という。）
２．これに対して、原査定の拒絶理由に引用された特開昭６１−１７３４２８号公報（以下「引用例」という。）には、「スイッチ装置」に関して以下のことが記載されている。
▲１▼「この発明は、プレート面とスイッチとの外観上の関係が調和しているとともに、接点の開閉動作が確実に行われるスイッチ装置を提供することを目的とする。」（第２頁右上欄第８〜１１行）
▲２▼「この発明にかかるスイッチ装置は、第１図および第２図にみるように、接点機構を内蔵するボディ１と、ボディ１外方から前記接点機構を操作する部分である広面積のハンドル２と、ハンドル２の表面を露出させる開口３ａを有するプレート３と、これを受けるプレート枠４と、前記プレート３およびプレート枠４の両者間に介在され、内部に形成された開口部５ａに前記ボディ１を受け入れた状態で壁面（図示せず）に取り付けられるようになっている取付枠５とをそれぞれ備えている。第２図および第３図にみるように、ボディ１表面には、ボディ１から出没する方向に往復移動し、ボディ１内の可動接触部１５に固定接点１４，１６の開閉動作を行わせるよう働く移動体（押ボタン）８が露出している。前記ハンドル２は、第２図および第５図にみるように、その一端側で前記移動体８を覆うとともに、他端側をボディ１に軸着させて、ピアノタッチ式になっている。その操作時には、前記一端側が押し込まれると、移動体８が押圧される。移動体８は、前記押圧を解除した際にハンドル２とプレート３の表面とがほぼ面一になるようスプリング６により押圧解除方向に常に付勢されている。それにより、プレート面とハンドル（スイッチ）との外観上の関係が調和するようになる。」（第２頁左下欄第１５行〜同頁右下欄第１９行）
▲３▼「すなわち、第２図および第５図にみるように、ハンドル２の一端側裏面に互いに相対するよう突出片２ａ，２ａが設けられており、その外側面にそれぞれ短軸１０，１０が設けられている。これら短軸１０，１０は、第１図にもみるように、ボディ１に取り付けられた立上り片１１，１１に形成されている各孔１１ａ，１１ａに枢着されている。したがって、ハンドル２は、前記孔１１ａ、１１ａを支点として回動するのである。移動体８を付勢するスプリング６は、例えば、第２図および第３図にみるように、移動体８の内部に形成されている凹部８ａと、移動体８の下方に位置決め固定されている受け板６ａとの間に設けられる。この受け板６ａには、移動体８に突設されている作動子２０を受け入れる孔６ｂが形成されている。」（第３頁左上欄第６行〜同頁右上欄第１行）
▲４▼「ボディ１内には、揺動することにより接点１４および接点１６の開閉を行うようになっている可動接触部１５が設けられている。この可動接触部１５は、その側面に取り付けられている反転カム１９の両肩１９ａ，１９ａが移動体８の押圧時に移動体８から突設されている作動子２０に交互に押圧されることにより、正逆方向に揺動するようになっている。」（第３頁左下欄第７〜１４行）
▲５▼「この実施例においては、端子部が連結構造になっている。すなわち、第２図および第３図にみるように、端子板２３、２４、２６がそれぞれ鎖錠ばね２５を包むようにしてこれと接触しており、内側面においてボディ１設けられたリード線挿通孔２７から入って来たりード線（図示せず）を鎖錠ばね２５の端部で圧送させるようになっている。また、ボディ１内には、リード線の結線状態を解除させるための解除ボタン２８、２８が内蔵されている。この解除ボタン２８、２８は、それぞれの対応位置にあたるボディ１下面に形成されている孔２９からドライバ等を差し入れるようにして内側方向に押圧させられる。その際に、各鎖錠ばね２５の端部をその付勢とは逆方向に押圧することにより、結線状態を解除させるのである。第２図中、９は移動体の出没用にボディ１に設けられた孔、第２図および第３図中、３０は可動接触部１５の接点、すなわち可動接点、第３図中、３１は引張りばね２２の受入れ孔、３２は引張りばね２２の一端を係止させる係止片、３３は取付板２１と端子板２３との間に接続されたリード線である。なお、上記実施例においては、第２図にみるように作動子２０の先端と反転カム１９との間の距離が短くなっており、かつ、ハンドル２の移動体８との当接個所に突起３４が設けられている。そのために、ハンドル２の押圧距離が少なくてすんでいる。」（第３頁右下欄第９行〜第４頁左上欄第１５行）
▲６▼「ボディ表面には、ボディから出没する方向に往復移動し、ボディ内の可動接触部に接点の開閉動作を行わせるよう働く移動体が露出しており、ハンドルがその一端側で前記移動体を覆うとともに、他端側をボディに軸着させていて、操作時には前記一端側が押し込まれると移動体が押圧されるが、移動体は前記押圧を解除した際にハンドルとプレート面がほぼ面一になるよう押圧解除方向に常に付勢されていることを特徴としているので、プレート面とハンドル（スイッチ）との外観上の関係が調和するようになるとともに、接点の開閉動作が確実に行われるようになるという効果がもたらされるのである。」（第４頁右上欄第１８行〜同頁左下欄第１１行）
３．本願発明と引用例に記載された発明とを対比する。
　引用例に記載の、「プレート枠４」、「プレート３」、「ハンドル２」、「ボディ１」、「端子板２３、２４と鎖錠ばね２５と解除ボタン２８」「接点１４、１６」、「可動接触部１５」、「移動体８」、「反転カム１９」、「スプリング６」は、それぞれ、本件発明における「取付枠」、「化粧枠」、「ピアノハンドル」、「器体」、「速結端子」、「接点部」、「開閉体」、「押釦ハンドル」、「反転手段」、「復帰手段」にそれぞれ相当する。
　そして、引用例に記載のプレート枠４は、内部に形成された開口部にボディ１を受け入れた状態で壁面に取り付けられるようになっているので、本願発明における「器具取付手段を備えた取付枠」に相当する。
　また、引用例に記載のボディ１は、両端部に端子板２３、２４と鎖錠ばね２５と解除ボタン２８からなる速結端子を収納した収納部を備え、中央部に接点１４、１６と接点１４、１６を開閉する可動接触部とで構成された開閉機構を収納した収納部を備え、ボディの開口部にはカバーが被着されている（第２図参照）ので、本願発明における「上記器体は両端部に速結端子を収納した収納部を、中央部に接点部と接点部を開閉する開閉体とで構成された開閉機構を収納した収納部を備えたボディと、このボディの開口部に被着したカバーとで構成し」なる構成に相当する。
　さらに、引用例に記載の移動体８は、ボディ１の表面より頭部が露出しているので、本願発明における「器体の表面より頭部が露出し該露出面に対して直交する方向に移動自在に器体内に装着される押釦ハンドル」に相当する。
　そうすると、両者は、「器具取付手段を備えた取付枠と、押釦スイッチの器体と、化粧枠と、この化粧枠の開口の略全部を閉塞する大きさに形成され、中央を上記器体の中央に対向させて上記化粧枠の開口内に配置される１個のピアノハンドルとを備え、上記器体は両端部に速結端子を収納した収納部を、中央部に接点部と接点部を開閉する開閉体とで構成された開閉機構を収納した収納部を備えたボディと、このボディの開口部に被着したカバーとで構成し、押釦スイッチが接点部と、器体内に回動自在に支持されて接点部を開閉する開閉体と、上記器体の表面より頭部が露出し該露出面に対して直交する方向に移動自在に器体内に装着される押釦ハンドルと、上記押釦ハンドルの押動に連動して開閉体を反転させる反転手段と、押釦ハンドルを前方露出方向に付勢する復帰手段とを備えており、ピアノハンドルは、回動自在に一端部が押釦スイッチの外部で枢支されて裏面を押釦ハンドルの頭部に当接させてあることを特徴とするピアノハンドル式スイッチ装置。」である点で一致するものであり、一方、以下の点で相違するものと認める。
（相違点）
　本願発明が、取付枠が「長手方向に３個の器具取付手段を備えた細長の器具取付用の窓孔を有」し、押釦スイッチの器体が「短方向の外形寸法が上記窓孔の長手方向の略１／３に形成され、取付枠の中央部の上記器具取付手段に取付けられ」、化粧枠が「窓孔に対向し長手方向の寸法が上記窓孔より細長の開口を有する」構成を具備しているのに対し、引用例に記載の発明は、該構成を具備していない点。
４．そこで上記相違点について検討する。
　部品の共通化および操作性の向上のために、長手方向に３個の器具取付手段を備えた細長の器具取付用の窓孔を有する取付枠と、短方向の外形寸法が上記窓孔の長手方向の略１／３に形成され、取付枠の中央部の上記器具取付手段に取付けられる押釦スイッチの器体と、窓孔に対向し長手方向の寸法が上記窓孔より細長の開口を有する化粧枠とを具備するスイッチ装置は、本件出願前周知の技術にすぎない（例えば、原査定時に示した特開平１−１９７９２４号公報を参照のこと）。
　そして、引用例に記載の発明に、上記周知の技術を適用して本願発明のようにすることは、当業者が適宜なし得るものである。
　また、本願発明の奏する効果も、引用例及び周知技術から当業者が予測しうる範囲のものである。
　したがって、本願発明は、引用例に記載の発明に基づいて当業者が容易に成し得たものというべきである。
５．以上のとおりであるから、本願発明は、特許法第２９条第２項の規定により特許を受けることはできない。
　よって、結論のとおり審決する、